(57)【要約】【課題】直接的に荷重が固定ボルトを破損させないようにする対策を施した解体アタッチメントを提供する。【解決手段】一対の顎２,３それぞれの対向部位に設けた取付部22,32に取り付けた刃23,33を、前記一対の顎２,３の開閉により交差させて、鋼材等を剪断したり、コンクリートを破砕したりして建物を解体する解体アタッチメントにおいて、取付部22,32に設けた顎側ボルト孔222,322と刃23,33に設けた刃側ボルト孔232.332とに連通するように前記取付部22,32及び刃23,33双方にカラー４を嵌合させ、前記カラー４に固定ボルト５を挿通させた解体アタッチメントを開発した。【選択図】図２
2010216129.tif 000002
【特許請求の範囲】
【請求項１】
一対の顎それぞれの対向部位に設けた取付部に取り付けた刃を、前記一対の顎の開閉により交差させて、鋼材等を剪断したり、コンクリートを破砕したりして建物を解体する解体アタッチメントにおいて、
取付部に設けた顎側ボルト孔と刃に設けた刃側ボルト孔とに連通するように前記取付部及び刃双方にカラーを嵌合させ、前記カラーに固定ボルトを挿通させた
ことを特徴とする解体アタッチメント。
【請求項２】
顎側ボルト孔は、取付部位の取付面に開口する顎側カラー嵌合凹部から貫通して設け、
刃側ボルト孔は、刃の内面に開口する刃側カラー嵌合凹部から貫通して設け、
顎側カラー嵌合凹部及び刃側カラー嵌合凹部双方にカラーを嵌合させた
請求項１記載の解体アタッチメント。
【発明の詳細な説明】
【技術分野】
【０００１】
本発明は、一対の顎（可動顎と可動顎との組み合わせ、可動顎と固定顎との組み合わせを含む）それぞれの対向部位に設けた取付部に取り付けた刃を、前記一対の顎の開閉により交差させて、鋼材等を剪断したり、コンクリートを破砕したりして建物を解体する解体アタッチメントに関する。
【背景技術】
【０００２】
建設機械のアームに装着する解体アタッチメントとして一対の顎から構成されるタイプ（破砕機、切断機、破砕及び切断兼用機の大きく３種類）は、各顎の対向部位に設けた取付部に刃を取り付け、前記一対の顎の開閉により刃を交差させて、鋼材等を剪断したり、コンクリートを破砕したりして建物を解体する。このとき、細い又は薄い金属屑が刃の間に挟まると、取付部から動かそうとする荷重が刃に加えられ、取付部に刃を取り付ける固定ボルトを破損させる虞がある。これから、荷重に対向して取付部から刃をずらさないこと、前記荷重が固定ボルトを破損させないことが望まれる。刃をずらさないためには、三方（対向する刃の内方を除く前方、後方及び外方）を壁で囲んだ取付部を顎に設け、刃を前記壁で規制する対応が従来からなされている。しかし、この対応では、前方の壁が薄くなりがちで壊れやすいほか、前記前方の壁の存在が刃より前の部分での剪断を不可能にすると共に、刃を短くさせて顎の剪断範囲を小さくする問題があった。
【０００３】
特許文献１が開示する解体アタッチメントは、取付部（カッタ取付用凹み部）に複数のボルト孔と、受圧面を有する荷重受け部とが設けられ、刃（カッタ）に前記荷重受け部の受圧面に当接する孔と、前記ボルト孔に対応するねじ孔とを設けて構成される。荷重受け部と前記カッタの孔の断面形状は、カッタの反転組み込み時に合致する形状（転写形状）とされている。この特許文献１が開示する解体アタッチメントは、転写形状の一方である凸（荷重受け部）を対向部位の取付部に、対応する転写形状の他方である凹（孔）を刃に設け、転写形状の凹凸部分を嵌合させることにより、対向部位における取付部から刃をずらさないようにし、固定ボルトに荷重が加わらないようにしている。
【先行技術文献】
【特許文献】
【０００４】
【特許文献１】特開2006-219948号公報（特許請求の範囲、［0022］〜［0026］）
【発明の概要】
【発明が解決しようとする課題】
【０００５】
特許文献１が開示する解体アタッチメントは、固定ボルト以外に荷重を受ける部位を形成することにより、確かに固定ボルトに荷重が加えられる虞をなくしている。しかし、取付部に設けた凸部に荷重が集中し、前記凸部を中心に取付部を破損させる虞がある。また、取付部及び刃の形状が複雑になり、加工を難しくして、加工コストを上昇させる問題が生ずる。そこで、対向する取付部の取付面や刃の内面に、荷重が集中する凸部を作ることなく、直接的に荷重が固定ボルトを破損させないようにする対策を解体アタッチメントに施すため、検討した。
【課題を解決するための手段】
【０００６】
検討の結果、一対の顎それぞれの対向部位に設けた取付部に取り付けた刃を、前記一対の顎の開閉により交差させて、鋼材等を剪断したり、コンクリートを破砕したりして建物を解体する解体アタッチメントにおいて、取付部に設けた顎側ボルト孔と刃に設けた刃側ボルト孔とに連通するように前記取付部及び刃双方にカラーを嵌合させ、前記カラーに固定ボルトを挿通させた解体アタッチメントを開発した。カラー（又はスリーブとも呼ぶ。）は、取付部の取付面と刃の内面とを接面させた境界を胯いで取付部及び刃双方に嵌合され、取付部に対して刃がずれる場合の荷重を刃より前に受け止め、固定ボルトに前記荷重が加わらないようにする。また、カラーは固定ボルトに向かう荷重を受ける働きを有すればよいため、固定ボルトに対しては遊嵌する関係でもよいし、固定ボルトの締付を阻害しない範囲で外嵌する関係でもよい。
【０００７】
具体的な解体アタッチメントは、次の構成を示すことができる。すなわち、顎側ボルト孔は、取付部位の取付面に開口する顎側カラー嵌合凹部から貫通して設け、刃側ボルト孔は、刃の内面に開口する刃側カラー嵌合凹部から貫通して設け、顎側カラー嵌合凹部及び刃側カラー嵌合凹部双方にカラーを嵌合させた構成とする。固定ボルトは、例えば顎側ボルト孔から差し込み、顎側カラー嵌合凹部及び刃側カラー嵌合凹部双方に嵌合させたカラーを通じて刃側ボルト孔に螺合する。固定ボルトの差し込み及び螺合は刃側ボルト孔から顎側ボルト孔に向けてでもよい。カラーは、固定ボルトを挿通できれば内周形状は自由であり、また外周形状も自由である。しかし、任意の周方向からの荷重を均等に受けるため、外周形状は断面円形が好ましい。この場合、荷重を受けたカラーの応力辺材を避けるため、内周形状は外周形状に相似な断面円形にする。
【発明の効果】
【０００８】
本発明の解体アタッチメントは、固定ボルトに外嵌したカラーにより、直接的に荷重が固定ボルトを破損させないようにできる。また、カラーにより固定ボルトを保護することから、取付部に対して刃の位置ずれを防止する構造、例えば特許文献１の転写形状に見られた荷重の集中する凸部を設ける必要がなく、接面する関係にある取付部の取付面と刃の内面とは共に平坦にし、密着させることができる。これにより、凸部を設けない取付部又は荷重の集中による刃の破損を回避できると共に、取付部や刃の加工コストを低減する効果をもたらす。また、従来見られた刃を三方の壁で囲む必要がなくなり、特に前方の壁を省略できるようになり、刃の前端部分での剪断を可能にするとともに、従来に比べて刃を長くさせて顎の剪断範囲を大きくすることができるようになる。
【図面の簡単な説明】
【０００９】
【図１】本発明を適用した解体アタッチメントの一例を表す側面図である。
【図２】顎の対向部位に取り付けられた刃を正面から見た部分断面図である。
【図３】本発明を適用した解体アタッチメントの別例を表す側面図である。
【発明を実施するための形態】
【００１０】
本発明を実施するための形態について説明する。本発明を適用した解体アタッチメントは、図１に見られるように、外観上、従来の構成と変らない。本例の解体アタッチメント（破砕専用機）は、アタッチメント本体１に上顎２及び下顎３を軸着し、同じくアタッチメント本体１に軸着したシリンダ24のロッドを前記上顎２に連結し、そしてアタッチメント本体１に軸着したシリンダ34のロッドを前記下顎３に連結した構成である。上顎２及び下顎３は、コンクリート塊を挟持して破砕する破砕爪21,31を先端側に取り付け、アタッチメント本体１近傍の奥側に取付部22,32を形成して、各取付部22,32にそれぞれ刃23,33を取り付けている。図示上の区別のため、図１中、上側の顎を上顎２、下側の顎を下顎３と呼んでいる。両者は上下対称で構造は同一であるが、説明の便宜上、符号を分けている。
【００１１】
本例の解体アタッチメントは、本発明を適用していることにより、取付部22,32は三方の壁のうち、前方の壁を設けていない。すなわち、刃23,33は、それぞれに対応する取付部22,32の取付面221,321に内面231,331を接面させている（図２参照）以外、外方の壁224,324と後方の壁225,325としか接していない。従来であれば、加えられる荷重により、刃23,33が前方に動かないように前方の壁を設けていたが、本発明では固定ボルト５により取付部22,32に対して刃23,33を強固に固定できるため、前方の壁を省略できる。このため、本例の刃23,33は、各取付部22,32に対して前端を露出するように取り付けられており、前端内側に鋼材を逃がさないために内方に突出した鉤部を形成して、刃渡り全体が剪断に利用できるようにしている。
【００１２】
各取付部22,32に対する刃23,33の取付関係は、従来と似ているが、図２に見られるように、顎側ボルト孔222,322に連通する顎側カラー嵌合凹部223,323を取付部位22,32の取付面221,321に、また刃側ボルト孔232,332に連通する刃側カラー嵌合凹部223,323を刃23,33の内面231,331にそれぞれ開口し、取付部22,32の取付面221,321に刃23,33の内面231,331を接面させた際、前記顎側カラー嵌合凹部223,323と刃側カラー嵌合凹部223,323とで形成される空間に、固定ボルト５を挿通できるカラー４を嵌合している点が従来と相違する。すなわち、取付部22,32及び刃23,33は、それぞれの取付面221,321及び内面231,331に、荷重が集中する凸部を設けておらず、前記取付面221,321及び内面231,331を密着させることができる。本例は、取付部22の背面側から固定ボルト５を顎側ボルト孔222に差し込み、カラー４を貫通させて刃23の刃側ボルト孔232に前記固定ボルト５を螺合する（図2中上顎２参照）。
【００１３】
本例のカラー４は、断面円形の短尺なパイプ状であり、取付部22,32に対して刃23,33がずれる場合の荷重を刃23,33より前に受け止め、固定ボルト５に前記荷重が加わらないようにするため、圧縮強度の高い材料（例えばベアリング鋼）を用い、肉厚（内周及び外周の半径差）２mm〜５mmで構成する。このカラー４は、顎側カラー嵌合凹部223,323と刃側カラー嵌合凹部223,323とにそれぞれ密に嵌合するため、顎側カラー嵌合凹部223,323と刃側カラー嵌合凹部223,323とはカラー４の外周形状に等しい断面円形の窪みである。これに対し、カラー４は固定ボルト５に向かう荷重を受ける働きを有すればよいため、固定ボルトに対して遊嵌する関係にあり、固定ボルト５の外径より内周形状の内径を大きくしている。すなわち、本例では、挿通する固定ボルト５に対し、カラー４の内周形状は隙間Δを空けて遊嵌している。これにより、カラー４が邪魔することなく、顎側ボルト孔322から刃側ボルト孔332に固定ボルト５を挿通させることができる（図２中下顎３参照）。前記隙間Δは、０mm（内周が固定ボルトのネジ山に当接する場合）〜２mmを目安とする。
【００１４】
また、カラー４は、取付部22,32の取付面221,321と刃23,33の内面231,331とを接面させた境界を胯いで前記取付部22,32及び刃23,33に嵌合されることにより、取付部22,32に対してずれようとする刃23,33による剪断力を受けることから、前記境界を胯いでいればよく、取付部22,32又は刃23,33それぞれに嵌合する深さ（＝顎側カラー嵌合凹部323の深さｄ1や刃側カラー嵌合凹部323の深さｄ2）は３mm以上あれば自由である。しかし、カラー４から顎側カラー嵌合凹部223,323又は刃側カラー嵌合凹部223,323に加えられる荷重に対して取付部22,32及び刃23,33が等しく対抗することが応力偏在を防止することになるから、顎側カラー嵌合凹部323の深さｄ1と刃側カラー嵌合凹部323の深さｄ2とは、取付部22,32を構成する材料の圧縮強度と刃23,33を構成する材料の圧縮強度との逆比で設定するとよい。本例は、取付部22,32を構成する材料の圧縮強度と刃23,33を構成する材料の圧縮強度とが等しい場合として、顎側カラー嵌合凹部323の深さｄ1や刃側カラー嵌合凹部323の深さｄ2とを等しくしている。
【００１５】
このほか、本発明は、解体アタッチメントの長寿命化という効果をもたらすことができる。例えば図３に見られる解体アタッチメント（破砕及び切断兼用機）は、アタッチメント本体６に上顎７及び下顎８を軸着し、同じくアタッチメント本体６に軸着したシリンダ74のロッドを前記上顎７に連結し、そしてアタッチメント本体６に軸着したシリンダ84のロッドを前記下顎８に連結した構成であり、従来同様、前刃71,81に対して外方の壁724,824だけでなく前方の壁726,826を有する取付部72,82を設けている。図示上の区別のため、図３中、上側の顎を上顎７、下側の顎を下顎８と呼んでいる。両者は上下対称で構造は同一であるが、説明の便宜上、符号を分けている。
【００１６】
本発明によれば、取付部72,82に前方の壁726,826は不要であるが、できる限り従来相当品との部品形状の互換性を保つため、図３に見られる解体アタッチメントのように、取付部72,82に前方の壁726,826を残す場合がある。しかし、本発明を適用すれば、前刃71,81は動かなくなるため、薄い幅の前方の壁726,826であっても破損しにくくなる。取付部72,82や前刃71,81及び後刃73,83に施す加工は、それぞれ顎側カラー嵌合凹部や刃側カラー嵌合凹部（図２参照）を設けるだけなので、既存の解体アタッチメントにも本発明の適用は容易である。そして、前述のように、前方の壁726,826を破損しにくくすることから、本発明を最初から適用した解体アタッチメントはもちろん、既存の解体アタッチメントをも長寿命化する効果をもたらす。
【符号の説明】
【００１７】
１  アタッチメント本体
２  上顎
22  取付部
221  取付面
222  顎側ボルト孔
223  顎側カラー嵌合凹部
23  刃
231  内面
232  刃側ボルト孔
233  刃側カラー嵌合凹部
３  下顎
32  取付部
321  取付面
322  顎側ボルト孔
323  顎側カラー嵌合凹部
33  刃
331  内面
332  刃側ボルト孔
333  刃側カラー嵌合凹部
４  カラー
５  固定ボルト
【図１】
2010216129.tif 000003
【図２】
2010216129.tif 000004
【図３】
2010216129.tif 000005